(57)【特許請求の範囲】
【請求項１】
空気調和機本体と、長尺形状の透明樹脂製でなり、一方の端の背面に光源からの光が入射する光入射面が形成され、他方の端の正面に垂直且つ平面形状の発光面が形成され、該発光面の背後には発光部が形成されたプリズム表示体とを備えた空気調和機において、
前記プリズム表示体は、前記空気調和機本体の前面の開口に、前記発光面が前記前面に平行な状態で露出するように取り付けられ、
前記発光部の上下方向の中央部分の背面を上部分よりも後方に突出させ、前記発光部の上端面の前後方向の幅を、前記発光部の上下方向の中央部分の前後方向の幅よりも小さくしたことを特徴とする空気調和機。
【請求項２】
請求項１に記載の空気調和機において、
前記プリズム表示体の前記発光部を、下端面の前後方向の幅が前記上端面の前後方向の幅よりも大きく、且つ前記下端面の後端が後方に突出するよう形成したことを特徴とする空気調和機。
【請求項３】
請求項１に記載の空気調和機において、
前記プリズム表示体の前記発光部を、前記中央部分が後方に膨らみ断面が、かまぼこ形状になるよう形成したことを特徴とする空気調和機。
【発明の詳細な説明】
【技術分野】
【０００１】
本発明は、空気調和機に係り、特に空気調和機本体の表面に設けたプリズム表示体について改良を施した空気調和機に関する。
【背景技術】
【０００２】
従来、空気調和機には、図５、図６に示すように、運転、タイマー等の運転状況を表示する表示部１を空気調和機本体１００に設けていた。さらに、近年の空気調和機は、単なる冷房、暖房、除湿等の冷凍サイクル運転ばかりではなく、空気の清浄化を促進して、健康的でかつ快適な空気調和を行うようにしている。例えば、リモコンからの空気清浄化駆動信号をリモコン受信器２が受信すると、空気通路に設けたＵＶランプ３と吹出口内に設けたイオン発生器４が稼動し、通風路を通る浮遊菌に紫外線を照射して除菌し、空気中にオゾンとイオンを放出して空気を浄化する機能がある。この空気浄化運転中であることは、空気調和機本体前面に備えた吸込グリル５に設けたプリズム表示体６を発光させて知らせている。
【０００３】
このプリズム表示体６は、空気の通風に影響を与えないように、電装品箱やファンモータが置かれている空気調和機本体１００の端部の側に位置する個所、つまり吸込グリル５の端部（右端）に設けているが、そのプリズム表示体６の背面側には電装品箱やファンモータが配置されているため、発光のための光源を設けるスペースがない。
【０００４】
そこで、ＬＥＤ素子などの光源を、電装品箱の隣で通風抵抗にならない場所に設置して、その光源の光を透明樹脂で成型した長尺形状のプリズム表示体６に一端から入射して導き、その内部を光の反射を利用して伝搬させ、他端で発光させている。図７に示すように、プリズム表示体６は、光を導く導光部６ａと、導かれた光を発光させる発光部６ｂとで構成されている。導光部６ａには、ＬＥＤ素子などの光源７（図８）から光を取り込む光入射面６ａ１と、取り込んだ光を特定方向に反射させる反射面６ａ２とを備えている。発光部６ｂには、背面６ｂ１に凹凸によるシボ加工部（図７では図示せず）を、正面に発光面６ｂ２を備え、背面６ｂ１と正面の発光面６ｂ２との間には、取り付けの際の位置決め用の段差部６ｂ３が形成されている。光源７から光入射面６ａ１に入射した光は、反射面６ａ２で発光部６ｂの方向に反射され、導光部６ａで反射伝搬されて発光部６ｂに導かれ、背面６ｂ１のシボ加工部で乱反射され、発光面６ｂ２が発光するようになる。このとき、発光部６ｂ内で光を乱反射させ、発光に必要な光量を貯めるために、発光部６ｂは一定の容積が必要となる。
【０００５】
図８は図６のＡ-Ａ断面図であり、プリズム表示体６の取り付け構造を示すものである。プリズム表示体６の発光面６ｂ２は、吸込グリル５に形成された開口５ａの縁に、段差部６ｂ３が位置するように後側からはめ込まれ、その背面６ｂ１から前面パネル８の前面部８ａが前方に押し当てるように取り付けられている。９はプリズム表示体６を押さえ、吸込グリル５から光が透けて見えることを防ぐ押板である。以上のようなプリズム表示体６については、例えば特許文献１に類似の記載がある。
【先行技術文献】
【特許文献】
【０００６】
【特許文献１】特開２００３−７４９５１号公報
【発明の概要】
【発明が解決しようとする課題】
【０００７】
ところが、壁掛型の空気調和機本体１００は、天井近くに設置されることから、図８のＢ−Ｂ断面である図９(ｂ)に示すように、室内の照明光が上方から当たるため、その照明光によってプリズム表示体６の上端面に接する照明光の当たらない前面パネル８がプリズム表示体６に映りこむことになり、上面端の厚さ分だけ暗く見える。このため、プリズム表示体６の非点灯時に使用者が下から見上げると、直接暗くなった部分を透明なプリズム表示体６を通して見ることになり、図９(ａ)に示すように、発光面６ｂ２における上の部分に、上下方向に幅広の影Ｘが視認される。特に昨今の空気調和機本体は、室内の壁になじむように全体が白色で構成されていることから、白色のなかに黒い影Ｘが生じると、美観を損なうという問題があった。
【０００８】
本発明の目的は、室内の照明光によってプリズム表示体に生じる影を極力幅狭にして、美観を損なわないようにした空気調和機の室内機を提供することである。
【課題を解決するための手段】
【０００９】
上記目的を達成するために、請求項１にかかる発明の空気調和機は、空気調和機本体と、長尺形状の透明樹脂製でなり、一方の端の背面に光源からの光が入射する光入射面が形成され、他方の端の正面に垂直且つ平面形状の発光面が形成され、該発光面の背後には発光部が形成されたプリズム表示体とを備えた空気調和機において、前記プリズム表示体は、前記空気調和機本体の前面の開口に、前記発光面が前記前面に平行な状態で露出するように取り付けられ、前記発光部の上下方向の中央部分の背面を上部分よりも後方に突出させ、前記発光部の上端面の前後方向の幅を、前記発光部の上下方向の中央部分の前後方向の幅よりも小さくしたことを特徴とする。
請求項２にかかる発明は、請求項１に記載の空気調和機において、前記プリズム表示体の前記発光部を、下端面の前後方向の幅が前記上端面の前後方向の幅よりも大きく、且つ前記下端面の後端が後方に突出するよう形成したことを特徴とする。
請求項３にかかる発明は、請求項１に記載の空気調和機において、前記プリズム表示体の前記発光部を、前記中央部分が後方に膨らみ断面が、かまぼこ形状になるよう形成したことを特徴とする。
【発明の効果】
【００１０】
本発明によれば、発光部の上端面の前後方向の幅を、発光部の上下方向の中央部分の前後方向の幅よりも小さくしたので、室内の上方からの照明光によってプリズム表示体の発光面に生じる影の幅が狭くなり、美観を損なう問題を解決でき、なおかつ、発光に必要な光量を確保できる発光部となる。
【図面の簡単な説明】
【００１１】
【図１】本発明の第１の実施例のプリズム表示体の斜視図である。
【図２】（ａ）は本発明の第１の実施例のプリズム表示体の発光面の正面図、（ｂ）は取付状態の断面図である。
【図３】本発明の第２の実施例のプリズム表示体の斜視図である。
【図４】（ａ）は本発明の第２の実施例のプリズム表示体の発光面の正面図、（ｂ）は取付状態の断面図である。
【図５】空気清浄機能を有する空気調和機本体の斜視図である。
【図６】図５の空気調和機本体の右端部の部分正面図である。
【図７】（ａ）、（ｂ）は従来のプリズム表示体の斜視図である。
【図８】図６のＡ-Ａ断面図である。
【図９】（ａ）は本発明の従来のプリズム表示体の発光面の正面図、（ｂ）は取付状態の断面図（図８のＢ-Ｂ断面図）である。
【発明を実施するための形態】
【００１２】
＜第１の実施例＞
図１に本発明の第１の実施例のプリズム表示体１０を示す。このプリズム表示体１０は、光を導く導光部１０ａと、導かれた光を発光させる発光部１０ｂとで構成されている。導光部１０ａには、ＬＥＤ素子などの光源７から光を取り込む光入射面１０ａ１と、取り込んだ光を特定方向に反射させる反射面１０ａ２とを備えている。発光部１０ｂには、背面１０ｂ１にシボ加工部が形成され、正面に発光面１０ｂ２が設けられ、背面１０ｂ１と正面の発光面１０ｂ２との間には、取り付けの際の位置決め用の段差部１０ｂ３が形成されている。この発光部１０ｂの前後方向の幅は、上端面１０ｂ４が小さく下端面１０ｂ５が後方に突出するように大きくなり、断面がほぼ直角三角形となるように構成されている。光源７から光入射面１０ａ１に入射した光は、反射面１０ａ２で反射され、導光部１０ａで反射伝搬されて発光部１０ｂに導かれ、背面１０ｂ１のシボ加工部で乱反射され、発光面１０ｂ２が発光するようになる。
【００１３】
図２(ｂ)は本実施例のプリズム表示体１０の取付状態の断面図である。このように、本実施例では、プリズム表示体１０の発光部１０ｂの上端面１０ｂ４の幅が小さく、下端面１０ｂ５の幅が大きいので、室内の照明光が上方から当たるとき、図２(ａ)に示すように、その照明光による影Ｘは、その上下方向の幅が大幅に狭くなり、美観を損なうことはない。
【００１４】
＜第２の実施例＞
図３に本発明の第２の実施例のプリズム表示体２０を示す。このプリズム表示体２０は、光を導く導光部２０ａと、導かれた光を発光させる発光部２０ｂとで構成されている。導光部２０ａには、ＬＥＤ素子などの光源７から光を取り込む光入射面２０ａ１と、取り込んだ光を特定方向に反射させる反射面２０ａ２とを備えている。発光部２０ｂには、背面２０ｂ１にシボ加工部が形成され、正面に発光面２０ｂ２が設けられ、背面２０ｂ１と正面の発光面２０ｂ２との間には、取り付けの際の位置決め用の段差部２０ｂ３が形成されている。この発光部２０ｂの断面は、かばぼこ形状に中央部後方が後に張り出した形状であり、上端面２０ｂ４と下端面２０ｂ５の前後方向の幅が小さく、中央の厚みが大きくなっている。光源７から光入射面２０ａ１に入射した光は、反射面２０ａ２で反射され、導光部２０ａで反射伝搬されて発光部２０ｂに導かれ、背面２０ｂ１のシボ加工部で乱反射され、発光面２０ｂ２が発光するようになる。
【００１５】
図４(ｂ)は本実施例のプリズム表示体２０の取付状態の断面図である。このように、本実施例ではプリズム表示体２０の発光部２０ｂの上端面２０ｂ４と下端面２０ｂ５の幅が小さく、中央の厚みが大きいので、室内の照明光が上方から当たるとき、図４(ａ)に示すように、その照明光による影Ｘは、その上下方向の幅が大幅に狭くなり、美観を損なうことはない。
【符号の説明】
【００１６】
１：表示部
２：リモコン受信部
３：ＵＶランプ
４：イオン発生器
５：吸込グリル
６：プリズム表示体、６ａ：導光部、６ａ１：光入射面、６ａ２：反射面、６ｂ：発光部、６ｂ１：背面、６ｂ２：発光面、６ｂ３：段差部、６ｂ４：上端面、６ｂ５：下端面
７：光源（ＬＥＤ）
８：前面パネル
９：押板
１０：プリズム表示体、１０ａ：導光部、１０ａ１：光入射面、１０ａ２：反射面、１０ｂ：発光部、１０ｂ１：背面、１０ｂ２：発光面、１０ｂ３：段差部、１０ｂ４：上端面、１０ｂ５：下端面
２０：プリズム表示体、２０ａ：導光部、２０ａ１：光入射面、２０ａ２：反射面、２０ｂ：発光部、２０ｂ１：背面、２０ｂ２：発光面、２０ｂ３：段差部、２０ｂ４：上端面、２０ｂ５：下端面
【図１】
0005459614.tif 000002
【図２】
0005459614.tif 000003
【図３】
0005459614.tif 000004
【図４】
0005459614.tif 000005
【図５】
0005459614.tif 000006
【図６】
0005459614.tif 000007
【図７】
0005459614.tif 000008
【図８】
0005459614.tif 000009
【図９】
0005459614.tif 000010